(57)【要約】【課題】シート状物の商品価値を失うことなく、複数枚のシート状物を容易且つ確実に積層化することができるとともに、積層化されたシート状物をそのまま包装に用いることができるシート状物の係止方法を提供する。【解決手段】プラスチック製のシート状物１を複数枚積層させ、得られたシート状物の積層体１０を少なくとも１つの係止片２０で挿通・係止するものである。【選択図】  図１
2004231240.tif 000002
【特許請求の範囲】
【請求項１】
プラスチック製のシート状物を複数枚積層させ、得られた前記シート状物の積層体を少なくとも１つの係止片で挿通・係止することを特徴とするシート状物の係止方法。
【請求項２】
前記係止片が、フィラメント部と、前記フィラメント部の両端に配設された頭部と、横棒部又はリング状突起部から構成され、その形状が略Ｈ形であるとともに、合成樹脂から一体成形されてなり、前記頭部及び前記横棒部の幅又は前記リング状突起部の直径ａと前記フィラメント部の長さｂとの関係が、１＜ｂ／ａ＜２０である請求項１に記載のシート状物の係止方法。
【請求項３】
前記頭部が、横棒部又はリング状突起部である請求項２に記載のシート状物の係止方法。
【請求項４】
前記係止片が、前記シート状物の積層体の両面に対向して挿通・係止されてなる請求項１〜３のいずれか１項に記載のシート状物の係止方法。
【請求項５】
前記シート状物の形態が、カット品、打抜品、袋状品のいずれか１つからなる請求項１〜４のいずれか１項に記載のシート状物の係止方法。
【請求項６】
前記シート状物が、気泡シート又は発泡シートである請求項１〜５のいずれか１項に記載のシート状物の係止方法。
【発明の詳細な説明】
【０００１】
【発明の属する技術分野】
本発明は、プラスチック製のシート状物の係止方法に関する。
【０００２】
【従来の技術】
プラスチック製のシート状物、例えば、プラスチックフィルムに多数の凸部を設けたキャップフィルムと、平坦なバックフィルムとを貼り合わせ、凸部に空気を封入してなるプラスチック気泡シートが、その緩衝能力を利用して、包装材料として広く使用されている。
【０００３】
使用の形態には、長尺の気泡シートを巻物状にしたものを被包装物の寸法に応じて、この巻物から適宜の大きさの気泡シートを切り出し、被包装物の形状に従って、それを包む使い方のほか、予め、気泡シートを特定の形状・寸法に裁断、加工又は打ち抜いたものを缶や段ボール箱に入れるような使い方も少なくない。
このような気泡シートを需要者に搬送・納入する場合、例えば、図２に示すように、気泡シート１を複数枚積層させた後、輪ゴム、テープ又は結束ひも等の結束具４０で結束することが行われている。
【０００４】
しかしながら、得られたシート状物の積層体は、結束や固定が案外面倒である上に、結束具４０によって、シート状物（特に、上下のシート状物）にくびれ４２が発生してしまい、シート状物の機能が低下するだけでなく、美観の点で好ましくないため、シート状物の商品価値を失ってしまうという問題点があった。
【０００５】
【発明が解決しようとする課題】
本発明は、このような従来技術の有する課題に鑑みてなされたものであり、その目的とするところは、シート状物の商品価値を失うことなく、複数枚のシート状物を容易且つ確実に積層化することができるとともに、積層化されたシート状物をそのまま包装に用いることができるシート状物の係止方法を提供することにある。
【０００６】
【課題を解決するための手段】
すなわち、本発明によれば、プラスチック製のシート状物を複数枚積層させ、得られた前記シート状物の積層体を少なくとも１つの係止片で挿通・係止することを特徴とするシート状物の係止方法が提供される。
【０００７】
このとき、本発明では、前記係止片が、フィラメント部と、前記フィラメント部の両端に配設された頭部と、横棒部又はリング状突起部から構成され、その形状が略Ｈ形であるとともに、合成樹脂から一体成形されてなり、前記頭部及び前記横棒部の幅又は前記リング状突起部の直径ａと前記フィラメント部の長さｂとの関係が、１＜ｂ／ａ＜２０であることが好ましく、また、前記頭部が、横棒部又はリング状突起部であり、更に前記係止片が、前記シート状物の積層体の両面に対向して挿通・係止されてなることが好ましい。
【０００８】
また、本発明では、前記シート状物の形態が、カット品、打抜品、袋状品のいずれか１つからなることが好ましい。
【０００９】
更に、本発明では、前記シート状物が、気泡シート又は発泡シートであることが好ましい。
【００１０】
【発明の実施の形態】
以下、本発明の実施の形態を図面に基づいて更に詳細に説明する。
図１は、本発明のシート状物の係止方法で得られたシート状物の積層体の一例を示すものであり、（ａ）は概略斜視図、（ｂ）はシート状物が発泡シートの場合における（ａ）の要部断面図であり、（ｃ）はシート状物が気泡シートの場合における（ａ）の要部断面図である。
本発明のシート状物の係止方法は、図１（ａ）（ｂ）（ｃ）に示すように、プラスチック製のシート状物１を複数枚積層させ、得られたシート状物の積層体１０を少なくとも１つの係止片２０で挿通・係止するものである。
尚、図１（ｂ）に示すシート状物１は、気泡シート２を用いた場合であり、図１（ｃ）に示すシート状物は、発泡シート４を用いた場合である。
【００１１】
本発明のシート状物の係止方法は、図１（ａ）示すように、シート状物の積層体１０を少なくとも１つの係止片２０で挿通・係止することにより、シート状物の積層体１０を結束ひも４０で結束する従来の方法（図２参照）と比較して、シート状物１（特に、上下のシート状物１）にくびれが発生しないため、シート状物１の機能や美観を維持したまま、需要者に搬送・納入することができる。
このとき、上記係止片２０によるシート状物の積層体１０の係止箇所は、特に限定されないが、シート状物の積層体１０を所定の形態で維持するとともに、シート状物１の商品価値を下げないように、効果的且つ必要最小限になるように配置することが重要である。
【００１２】
また、本発明のシート状物の係止方法は、従来のようにシート状物を結束するのではなく、必要最小限の係止片で係止しているだけであるため、複数枚のシート状物を容易且つ確実に積層化することができるとともに、各々のシート状物に分離することも容易である。
【００１３】
更に、本発明のシート状物の係止方法は、従来の結束されたシート状物の積層体と比較して、シート状物の特性を損なうことなく、可撓性にも優れているため、得られたシート状物の積層体を、例えば、ピロー包装用等の包装材として好適に用いることもできる。
【００１４】
次に、本発明のシート状物の係止方法は、図１（ｂ）（ｃ）に示すように、係止片２０が、シート状物の積層体１０の両面に対向して挿通・係止されてなることが好ましい。
また、本発明で用いる係止片は、例えば、図１（ｂ）（ｃ）に示すように、フィラメント部２２と、フィラメント部２２の両端に配設された頭部２３と横棒部２１又はリング状突起部（図示せず）から構成され、その形状が略Ｈ形であるとともに、合成樹脂から一体成形されてなるものである。
【００１５】
ここで、本発明で用いる係止片は、図３（ａ）（ｂ）に示すように、頭部（横棒部２１又はリング状突起部２４）及び横棒部２１の幅ａ又はリング状突起部の直径φａと前記フィラメント部の長さｂとの関係が、１＜ｂ／ａ＜２０であることが好ましい。
これは、ｂ／ａが１以下である場合、係止片を除去する場合、被包装物を傷める恐れがあり、一方、ｂ／ａが２０を超過する場合、係止片がシート状物から抜けやすくなってしまうからである。
【００１６】
尚、上記係止片２０は、シート状物１の色と異なるとともに、シート状物１のグレード（品質の等級）や種類によって色を適宜選択することにより、作業効率を向上させることができる。
【００１７】
更に、本発明で用いる係止片は、従来から物品にラベル（タグ）を係止させたり、複数個の物品を束ねたりする方法の一つの手段として用いられており、例えば、図４に示すように、複数個の係止片２０が、互いに平行な状態で連結された状態の係止片構造体２６に形成された後、係止片取付機３０を使用して、シート状物１に係止片構造体２６から個々の係止片２０を個別に切断しながら刺し通すことによって、シート状物１同士を係止させるものである（図１（ｂ）（ｃ）参照）。
【００１８】
より具体的には、図４に示すように、係止片取付機３０の上面部に設けられた係止片構造体２６を供給部３１の供給口３２に挿通し、係止片構造体２６から分離された個々の係止片２０の横棒部２１が中空針１２の中に挿入された後、シート状の積層体（図示せず）の反対面に突き抜けている中空針１２の先端部から押し出す。
これにより、例えば、図１（ｂ）（ｃ）に示すように、シート状物の積層体１０は、フィラメント部２２を介して係止片２０の頭部２３と横棒部２１との間に挟持・係止される。
【００１９】
その間、係止片２０のフィラメント部２２は、係止片取付機３０に設けられたスリット部３３及び中空針１２の側面に設けられたスリット１５を介して、シート状物１中に導入される。
【００２０】
尚、本発明で用いるシート状物の形態は、特に限定されず、例えば、カット品、打抜品、袋状品であってもよい。
【００２１】
また、本発明のシート状物の係止方法は、特に、気泡シート又は発泡シートに好適に用いることができる。
ここで、「気泡シート」とは、ポリエチレンなどのプラスチックフィルムの真空成形により多数の凹みを成形したキャップフィルムと、平坦なバックフィルムとをキャップの底面で貼り合わせて、密閉された空気室を多数設けたものを指す。キャップの頂を連ねてもう１枚の平坦なライナーフィルムを貼り合わせた三層構成の気泡シートも、本発明で用いる気泡シートに含まれる。
また、「発泡シート」とは、ポリエチレンなどのプラスチックに発泡剤を添加して溶融押出しすることにより得られるシートを指す。
【００２２】
【発明の効果】
以上説明した通り、本発明のシート状物の係止方法は、シート状物の商品価値を失うことなく、複数枚のシート状物を容易且つ確実に積層化することができるとともに、積層化されたシート状物をそのまま包装に用いることができる。
【図面の簡単な説明】
【図１】本発明のシート状物の係止方法で得られたシート状物の積層体の一例を示すものであり、（ａ）は概略斜視図、（ｂ）はシート状物が発泡シートの場合における（ａ）の要部断面図であり、（ｃ）はシート状物が気泡シートの場合における（ａ）の要部断面図である。
【図２】従来のシート状物の結束方法で得られたシート状物の積層体の一例を示す概略斜視図である。
【図３】本発明で用いる係止具の各例を示すものであり、（ａ）はフィラメント部の両端に横棒部を配設した場合、（ｂ）はフィラメント部の両端にリング状突起部を配設した場合、における模式図である。
【図４】本発明で用いる係止片取付機における係止片構造体供給部の構造の一例を示す概略斜視図である。
【符号の説明】
１…シート状物、
２…気泡シート、
４…発泡シート、
１０…シート状物の積層体、
１２…中空針、
１５…スリット、
２０…係止片、
２１…横棒部、
２２…フィラメント部、
２３…頭部、
２４…リング状突起部、
２６…係止片構造体、
３０…係止片取付機、
３１…供給部、
３２…供給口、
３３…スリット部、
４０…結束具、
４２…くびれ。
【図１】
2004231240.tif 000003
【図２】
2004231240.tif 000004
【図３】
2004231240.tif 000005
【図４】
2004231240.tif 000006